(57)【特許請求の範囲】
【請求項１】
ケース本体と、
内面に複数のストップ突起を備え、前記ケース本体に結合されるケースカバーと、
前記ケース本体の内部に設置される電子回路基板と、
前記電子回路基板に回転可能に設置され、回転盤に係止突起を備えて前記ストップ突起に係止されることにより一定の回転範囲内で動作し、異常電流発生時のトリップ動作時間を設定できるようになっている複数の設定つまみと、
所定の規格を満たすためにトリップ動作オフ位置に回転しないように制限される専用つまみと、を含み、
前記専用つまみは、
下面の中心部から突出する中心軸を備え、前記電子回路基板に回転可能に結合される回転盤と、
前記回転盤の上面の中心部から上方に突出して前記ケースカバーの貫通孔から外部に露出する指示部と、
前記回転盤の上面の縁部の一部区間に円周方向に突出形成され、前記複数の設定つまみの係止突起より円周方向にさらに長く延び、前記複数のストップ突起のいずれかのストップ突起に係止されることにより前記専用つまみのトリップ動作オフ位置への回転を制限する係止突起と、を含み、
前記専用つまみの係止突起の回転を制限するストップ突起は、前記ケースカバーに突出形成されて前記専用つまみの係止突起の回転方向に前記専用つまみの係止突起を係止できる範囲内に配置されることを特徴とする過電流継電器。
【請求項２】
前記専用つまみは、長限時、短限時及び瞬時トリップ動作時間の設定のうち、長限時トリップ動作時間の設定に使用されることを特徴とする請求項１に記載の過電流継電器。
【請求項３】
ケース本体と、
内面に複数のストップ突起を備え、前記ケース本体に結合されるケースカバーと、
前記ケース本体の内部に設置される電子回路基板と、
前記電子回路基板に回転可能に設置され、回転盤に係止突起を備えて前記ストップ突起に係止されることにより一定の回転範囲内で動作し、異常電流発生時のトリップ動作時間を設定できるようになっている複数の設定つまみと、
前記電子回路基板に回転可能に設置され、係止突起を備えて所定の規格を満たすためにトリップ動作オフ位置に回転しないように制限される専用つまみと、
前記ケースカバーに円周方向に突出形成され、前記専用つまみの係止突起の回転方向に前記専用つまみの係止突起を係止できる範囲内に配置され、前記複数のストップ突起より円周方向にさらに長く延びて前記専用つまみの係止突起のトリップ動作オフ位置への回転を制限する専用ストップ突起を含むことを特徴とする過電流継電器。
【請求項４】
接点部を開閉する開閉機構部と、
主回路に事故電流が発生すると事故電流を検出してトリップ命令を出力する過電流継電器と、
前記開閉機構部と機構的に連結され、前記過電流継電器がトリップ命令を出力すると前記開閉機構部のトリップ動作のための操作力を発生するトリップ機構モジュールとを含み、
前記過電流継電器は、
ケース本体と、
内面に複数のストップ突起を備え、前記ケース本体に結合されるケースカバーと、
電子回路基板を備え、前記ケース本体の内部に設置される制御ユニットと、  
前記電子回路基板に回転可能に設置され、回転盤に係止突起を備えて前記ストップ突起に係止されることにより一定の回転範囲内で動作し、異常電流発生時のトリップ動作時間を設定できるようになっている複数の設定つまみと、
所定の規格を満たすためにトリップ動作オフ位置に回転しないように制限される専用つまみと、を含み、
前記専用つまみは、
下面の中心部から突出する中心軸を備え、前記電子回路基板に回転可能に結合される回転盤と、
前記回転盤の上面の中心部から上方に突出して前記ケースカバーの貫通孔から外部に露出する指示部と、
前記回転盤の上面の縁部の一部区間に円周方向に突出形成され、前記複数の設定つまみの係止突起より円周方向にさらに長く延び、前記複数のストップ突起のいずれかのストップ突起に係止されることにより前記専用つまみのトリップ動作オフ位置への回転を制限する係止突起と、を含み、
前記専用つまみの係止突起の回転を制限するストップ突起は、前記ケースカバーに突出形成されて前記専用つまみの係止突起の回転方向に前記専用つまみの係止突起を係止できる範囲内に配置されることを特徴とする配線用遮断器。
【請求項５】
前記中心軸が十字状突起構造からなり、前記指示部が円周方向に所定の間隔で調整可能に回転することを特徴とする請求項４に記載の配線用遮断器。
【請求項６】
前記複数の設定つまみのいずれかの設定つまみは、定格電流の基準値に基づいて０．５秒〜５００秒の範囲内でトリップ動作時間を調整するように設定可能であることを特徴とする請求項４又は５に記載の配線用遮断器。
【発明の詳細な説明】
【技術分野】
【０００１】
本発明は、配線用遮断器（Molded Case Circuit Breaker; MCCB）などに適用される過電流継電器（Over Current Relay; OCR）に関する。
【背景技術】
【０００２】
一般に、保護継電器は、電力系統の状態を監視し、事故が発生するとそれを検出して遮断器を作動させて迅速に事故区間を分離することにより、事故の影響を受ける区間を最小限に抑制する装置である。
【０００３】
前記保護継電器の一種である過電流継電器は、入力電流が設定値（操縦値）以上のときに作動する保護継電器である。過電流継電器は、機器や線路の過負荷保護、短絡（ショート）・地絡（接地）保護用であって、その用途が非常に広範囲であり、多くの場所で用いられている。
【０００４】
過電流継電器は、複数の設定つまみ（setting knob）を電子回路基板に備え、異常電流の基準値と異常電流発生時のトリップ動作時間を設定することができる。前記設定つまみは、長限時（long time）基準設定値、短限時（short time）基準設定値、瞬時基準設定値などの設定つまみを含む。
【０００５】
ここで、長限時基準設定値とは、許容可能な定格電流の８０〜１００％の設定基準電流値と、当該電流が回路に流れるときのトリップ動作時間を１０秒〜数百秒と余裕を持って設定する設定動作時間値を意味し、短限時基準設定値とは、許容可能な定格電流の約２倍の設定基準電流値と、当該電流が回路に流れるときのトリップ動作時間を通常１秒以内にする設定動作時間値を意味し、瞬時基準設定値とは、負荷の短絡や落雷などで瞬間電流が非常に大きいときの設定基準電流であって定格電流の２倍〜数十倍の設定基準電流値と、当該電流が回路に流れるときのトリップ動作時間を通常５０ミリ秒以内にする設定動作時間値を意味する。
【０００６】
一方、従来技術による配線用遮断器（ＭＣＣＢ）のトリップ装置として用いられる過電流継電器の場合、機能の変更があると、プログラムやＰＣＢの修正により専用製品を展開していく。
【０００７】
図１１は従来技術による気中遮断器（Air Circuit Breaker; ACB）における過電流継電器の設定部の部分拡大図であり、前記過電流継電器の設定部４ｂに複数の設定つまみ４ｂ１が離隔して配置されており、過電流発生時の長限時トリップ動作時間を設定するための設定つまみ４ｂ１’の回転操作によりトリップ動作をオフにすることができる（トリップ動作オフ位置ｏｆｆを丸印で示す。）。
【０００８】
気中遮断器（ＡＣＢ）と配線用遮断器（ＭＣＣＢ）は、長限時過電流トリップ動作をオフにする機能があるという特徴を有する。
【０００９】
気中遮断器（ＡＣＢ）の過電流継電器（ＯＣＲ）と配線用遮断器（ＭＣＣＢ）の過電流継電器（ＯＣＲ）とは、同じプログラムを使用してトリップ動作条件を設定する。
【発明の概要】
【発明が解決しようとする課題】
【００１０】
しかし、アメリカ保険業者安全試験所（Underwriters Laboratories Inc.; UL）の規格によると、ＭＣＣＢの場合、長限時トリップ動作オフ機能を有することは適用規格に反するので、ＡＣＢと同じプログラムを使用することができず、ＡＣＢとは異なるプログラム及びＰＣＢを使用及び管理しなければならないという問題があった。
【００１１】
そこで、本発明は、上記問題を解決するためになされたものであり、気中遮断器と同じプログラム及びＰＣＢを使用してトリップ動作条件を設定しながらもＵＬ規格を満たす過電流継電器及びそれを備えた配線用遮断器を提供することを技術的課題とする。
【課題を解決するための手段】
【００１２】
上記技術的課題を達成するために、本発明の一態様によれば、ケース本体と、ケースカバーと、電子回路基板と、複数の設定つまみと、を含む過電流継電器が提供される。
【００１３】
前記ケースカバーは、内面に複数のストップ突起を備え、前記ケース本体に結合されてもよい。
【００１４】
前記電子回路基板は、前記ケース本体の内部に設置されてもよい。
【００１５】
前記複数の設定つまみは、前記電子回路基板に回転可能に設置され、回転盤に係止突起を備えて前記ストップ突起に係止されることにより一定の回転範囲内で動作し、異常電流発生時のトリップ動作時間を設定できるようになっていてもよい。
【００１６】
前記複数の設定つまみのいずれかの設定つまみは、前記係止突起が他の設定つまみの係止突起より円周方向にさらに長く延び、回転角度範囲が相対的にさらに制限される専用つまみであってもよい。
【００１７】
前記専用つまみは、長限時、短限時及び瞬時トリップ動作時間の設定のうち、長限時トリップ動作時間の設定に使用されてもよい。
【００１８】
前記複数のストップ突起のいずれかのストップ突起は、他のストップ突起より円周方向にさらに長く延び、前記延びたストップ突起に対応する設定つまみの回転角度範囲を相対的にさらに制限する専用ストップ突起であってもよい。
【００１９】
本発明の他の態様によれば、開閉機構部と、過電流継電器と、トリップ機構モジュールとを含む配線用遮断器が提供される。
【００２０】
前記開閉機構部は、接点部を開閉する。
前記過電流継電器は、主回路に事故電流が発生すると事故電流を検出してトリップ命令を出力するようにしてもよい。
【００２１】
前記トリップ機構モジュールは、前記開閉機構部と機構的に連結され、前記過電流継電器がトリップ命令を出力すると前記開閉機構部のトリップ動作のための操作力を発生するようにしてもよい。
【００２２】
前記過電流継電器は、ケース本体と、ケースカバーと、制御ユニットと、複数の設定つまみと、を含んでもよい。
【００２３】
前記ケースカバーは、前記ケース本体に結合されてもよい。
前記制御ユニットは、電子回路基板を備え、前記ケース本体の内部に設置されてもよい。
【００２４】
前記複数の設定つまみは、前記ケースカバーに表示された電流基準値及びトリップ動作時間を指し示すように外部に露出する指示部を備え、前記電子回路基板に互いに離隔して配置され、それぞれの位置で回転可能な構造で結合されてもよい。
【００２５】
ここで、前記設定つまみは、回転盤と、前記回転盤の一面から軸方向に突出形成された中心軸とを含んでもよい。
【００２６】
前記指示部は、前記回転盤の他面から軸方向に突出形成されてもよい。
前記指示部は、一端部面に十字状に凹設された十字溝と、前記十字溝の一端部に矢印状又は三角形状に形成された溝との組み合わせからなる指示溝を備えてもよい。
【００２７】
前記設定つまみは、前記指示部から半径方向に離隔して配置され、前記回転盤の他面の縁部一側に突出形成されて回転する係止突起を備えてもよい。
【００２８】
前記ケースカバーは、複数のストップ突起を備えてもよい。
前記複数のストップ突起は、前記ケースカバーの内面に互いに離隔して配置されてもよい。
【００２９】
前記ストップ突起は、前記係止突起の回転範囲内で前記係止突起と干渉するように突出形成され、前記係止突起の回転範囲を所定の角度範囲に制限するようにしてもよい。
【００３０】
前記中心軸が十字状突起構造からなり、前記指示部が円周方向に所定の間隔で調整可能に回転するようにしてもよい。
【００３１】
前記複数の設定つまみのいずれかの設定つまみは、定格電流の基準値に基づいて０．５秒〜５００秒の範囲内でトリップ動作時間を調整するように設定してもよい。
【００３２】
前記複数の設定つまみのいずれかの設定つまみは、前記係止突起が他の設定つまみの係止突起より円周方向にさらに長く延び、回転角度範囲が相対的にさらに制限される専用つまみであってもよい。
【００３３】
前記複数のストップ突起のいずれかのストップ突起は、他のストップ突起より円周方向にさらに長く延び、前記延びたストップ突起に対応する設定つまみの回転角度範囲が相対的に制限されるようにしてもよい。
【発明の効果】
【００３４】
本発明による過電流継電器においては、専用の設定つまみ又はストップ突起を適用して長限時トリップ動作オフ機能を制限することにより、同じＯＣＲプログラム及びＰＣＢを使用してＡＣＢとＭＣＣＢのトリップ動作条件を設定することができる。また、ＯＣＲプログラム及びＰＣＢの共用化が可能なだけでなく、ＡＣＢ製品とＭＣＣＢ製品におけるプログラムの規格認証内容をまとめて管理できるという利点がある。
【図面の簡単な説明】
【００３５】
【図１】本発明による過電流継電器が配線用遮断器に装着された状態を示す斜視図である。
【図２】本発明による過電流継電器と配線用遮断器の接続関係を概略的に示す回路図である。
【図３】本発明による過電流継電器の斜視図である。
【図４】図３の過電流継電器の分解図である。
【図５】図３の過電流継電器の正面図である。
【図６】本発明の第１実施形態による設定つまみがケースカバーの内側に装着された状態を示す内部斜視図である。
【図７】本発明の第１実施形態による設定つまみの平面図である。
【図８】本発明の第１実施形態による設定つまみの底面斜視図である。
【図９】本発明による過電流継電器の設定部を示す部分拡大図である。
【図１０】本発明の第２実施形態による設定つまみがケースカバーの内側に装着された状態を示す内部斜視図である。
【図１１】従来技術による気中遮断器における過電流継電器の設定部の部分拡大図である。
【発明を実施するための形態】
【００３６】
以下、添付図面を参照して、本発明の実施形態について詳細に説明する。
【００３７】
本発明は、長限時トリップ動作オフ機能の使用を防止する過電流継電器を備えた配線用遮断器に関する。
【００３８】
図１は本発明による過電流継電器が配線用遮断器に装着された状態を示す斜視図である。
【００３９】
図１に示すように、本発明による配線用遮断器１００は、遮断器本体１０１と、開閉機構部１０３と、過電流継電器１１０と、トリップ機構モジュール１１９とを含む。
遮断器本体１０１は、両側にそれぞれ端子部１０２を備える。
【００４０】
遮断器本体１０１の一側に備えられた端子部１０２には電源側外部端子が挿入結合され、遮断器本体１０１の他側に備えられた端子部１０２には負荷側外部端子が挿入結合される。
【００４１】
遮断器本体１０１の一側に備えられた端子部１０２は固定接点部１２１ａ（図２参照）に接続され、遮断器本体１０１の他側に備えられた端子部１０２は可動接点部１２１ｂ（図２参照）に接続される。
【００４２】
端子部１０２は、三相（Ｒ、Ｓ、Ｔ相）の交流電源端１０に接続される。
開閉機構部１０３は、接点部１２１を開閉する機能を有する。
開閉機構部１０３は、可動接点部１２１ｂと機構的に連結され、可動接点部１２１ｂを固定接点部１２１ａに接離することができる。
また、開閉機構部１０３は、事故電流発生時にトリップ動作を行う機能を有する。
【００４３】
図２は本発明による過電流継電器と配線用遮断器の接続関係を概略的に示す回路図である。
【００４４】
過電流継電器１１０は、電流センサ１２０と、制御ユニット１１８とを含む。
【００４５】
電流センサ１２０は、三相の交流電源端１０と接続される三相の端子部１０２にそれぞれ接続される。
電流センサ１２０は、電源側の端子部１０２に入力される電流信号を検出する。
【００４６】
例えば、電流センサ１２０は、配線用遮断器１００の定格電流の電流基準値と比較される電流情報を検出するようにしてもよい。
【００４７】
制御ユニット１１８は、マイクロプロセッサが搭載された電子制御ユニット（ＥＣＵ）であってもよい。
制御ユニット１１８は、電流センサ１２０に接続され、電流センサ１２０から感知信号が入力される。
【００４８】
制御ユニット１１８は、メモリ部を備え、定格電流の電流基準値やトリップ動作時間などの情報を前記メモリ部に保存する。
【００４９】
また、過電流継電器１１０の設定部１１７によりトリップ動作時間を設定することができ（図９参照）、設定されたトリップ動作時間は制御ユニット１１８に入力される。
【００５０】
制御ユニット１１８は、電流センサ１２０から感知信号が入力されると、検出された入力電流値と前記定格電流の電流基準値とを比較して制御信号を出力する。
【００５１】
過電流継電器１１０は、過負荷、短絡や地絡事故などによる事故電流が発生すると、それを検出してトリップ命令を出力する。
【００５２】
過電流継電器１１０の制御ユニット１１８は、電流センサ１２０を用いて事故電流を検出し、トリップ命令を出力する。
【００５３】
トリップ機構モジュール１１９は、制御ユニット１１８からの制御信号を受け取り、開閉機構部１０３のトリップ動作のための駆動力を与える。
トリップ機構モジュール１１９は、アクチュエータを備えてもよい。
【００５４】
前記アクチュエータは、ソレノイドであってもよい。
前記アクチュエータは、過電流継電器１１０のトリップ命令出力時に電源が供給されて電磁石となり、電磁石の吸入力によりトリップ動作のための操作力を生成する。
【００５５】
トリップ機構モジュール１１９は、トリップスライダを含んでもよい。
前記トリップスライダは、前記アクチュエータと機構的に連結されてもよい。
【００５６】
前記トリップスライダは、前記アクチュエータと連結されて連続して動作するようにしてもよい。
前記トリップスライダは、投入位置とトリップ位置とに移動するようにしてもよい。
【００５７】
前記投入位置は、開閉機構部１０３がトリップ動作を行う前の前記トリップスライダの位置、すなわち前記トリップスライダの初期位置である。
【００５８】
前記トリップ位置は、開閉機構部１０３がトリップ動作を行うように前記トリップスライダが移動する位置である。
【００５９】
開閉機構部１０３は、トリップ機構モジュール１１９又は前記トリップスライダと機構的に連結され、前記トリップスライダが前記トリップ位置に移動するとトリップ動作を行う。
【００６０】
開閉機構部１０３のトリップ動作により、可動接点部１２１ｂが固定接点部１２１ａから分離し、事故電流が遮断される。
【００６１】
図３は本発明による過電流継電器の斜視図であり、図４は図３の過電流継電器の分解図であり、図５は図３の過電流継電器の正面図である。
【００６２】
過電流継電器１１０は、設定部１１７により長限時トリップ動作時間を設定することができる。
【００６３】
例えば、接点部１２１に流れる電流が定格電流の８０〜１００％の範囲の場合、トリップ動作時間を０．５秒〜５００秒の範囲に設定することができる。
【００６４】
一例として、前記長限時トリップ動作時間は、０．５秒〜２０秒の範囲に設定される（図９参照）。
【００６５】
過電流継電器１１０は、外部に露出可能に配線用遮断器１００の前面に装着されてもよい。
【００６６】
配線用遮断器１００は、過電流継電器１１０の設定部１１７において長限時トリップ動作オフ機能を削除することにより、ＵＬ規格を満たすように対応している。
【００６７】
本発明による過電流継電器１１０は、外部構成として、ケース本体１１１と、ケースカバー１１２とを含む。
ケース本体１１１は、電子回路基板１１３を収容するための内部空間を備える。
【００６８】
ケースカバー１１２は、ケース本体１１１の上部に着脱可能に結合される。
ケースカバー１１２は、その縁部がケース本体１１１の上端部の縁部に接するように組み立てられ、ケース本体１１１の上端部（開口部）を覆う構造で結合される。
【００６９】
ケースカバー１１２は、ケース本体１１１の上部を覆うことにより、外部の衝撃から内部に装着された電子部品などを保護する。
【００７０】
ケースカバー１１２の外部の前面一側（カバー全長の約半分に相当する上部）に開放部が備えられ、前記開放部からディスプレイ１１４が外部に露出する。
【００７１】
また、ケースカバー１１２の外部の前面他側（カバー全長の約半分に相当する下部）に長限時の基準電流値及びトリップ動作時間、短限時の基準電流値及びトリップ動作時間、瞬時電流値などが印刷されたステッカーなどが貼り付けられる（図９参照）。
【００７２】
例えば、前記長限時の設定値とは、定格電流の８０〜１００％の範囲に設定可能な基準電流値と、当該電流が回路に流れるときの０．５秒〜５００秒の範囲に設定可能なトリップ動作時間値を意味する。
【００７３】
前記短限時の設定値とは、定格電流の約２倍に設定可能な基準電流値と、当該電流が回路に流れるときの通常１秒以内に設定可能なトリップ動作時間値を意味する。
【００７４】
過電流継電器１１０は、ケース本体１１１の内部に装着された制御ユニット１１８を含む。
制御ユニット１１８は、電子回路基板１１３を備える。
電子回路基板１１３には、ＬＣＤなどのディスプレイ１１４、メモリ部、マイクロプロセッサなどが実装される。
【００７５】
電子回路基板１１３は、ケース本体１１１の内壁面に備えられた組立ガイド溝に嵌合されて組み立てられてもよい。
【００７６】
電子回路基板１１３は、デジタル型過電流継電器１１０の中核部品であって、複数の電子部品が装着され、電流や電圧などの計測機能、複雑なインターロック機能、遮断器／開閉器の投入／開閉機能、事故波形記録、事故内容時間別記録などの様々な機能を備える。電子回路基板１１３は、通信機能をさらに備えることにより、一対の通信ケーブルを接続するだけで、遠距離でも前述した機能を容易に行うことができる。
【００７７】
電子回路基板１１３の一側にはディスプレイ１１４が実装され、ディスプレイ１１４は、過電流継電器１１０のトリップ動作の設定、遮断器の開閉動作、事故電流の波形記録などを表示する。
また、電子回路基板１１３の他側には設定部１１７が備えられる。
【００７８】
図６は本発明の第１実施形態による設定つまみがケースカバーの内側に装着された状態を示す内部斜視図であり、図７は本発明の第１実施形態による設定つまみの平面図であり、図８は本発明の第１実施形態による設定つまみの底面斜視図である。
【００７９】
また、図９は本発明による過電流継電器の設定部を示す部分拡大図である。
【００８０】
設定部１１７は、複数の設定つまみ１１６を含む。
設定つまみ１１６は、設定部１１７に横方向及び縦方向に所定の間隔をおいて離隔して配置される。
【００８１】
設定つまみ１１６は、ケースカバー１１２の他側（設定部１１７と対向する側）に横方向及び縦方向に離隔して形成された貫通孔１１２’から外部に露出する。
設定つまみ１１６は、ケースカバー１１２の他側に横方向及び縦方向に離隔して配置された８つのつまみで構成される。
【００８２】
８つの設定つまみ１１６のうち、上方に位置する３つの設定つまみ１１６は、長限時の基準電流値及びトリップ動作時間を設定するためのものであり、中間に位置する３つの設定つまみ１１６は、短限時の基準電流値及びトリップ動作時間を設定するためのものであり、下方に位置する２つの設定つまみ１１６は、瞬時トリップ動作を設定するためのものである。
【００８３】
ここで、瞬時トリップ動作時間は、遮断器規格に規定されていて使用者の任意設定が許容されないので、瞬時トリップ動作時間を設定するための設定つまみは削除される。
【００８４】
使用者はケースカバー１１２に一部露出した設定つまみ１１６、１１５を回転操作することにより、定格電流の基準電流値（例えば、定格電流の８０〜１００％に相当する電流値）と、基準電流値に応じたトリップ動作時間を設定することができる。
【００８５】
設定つまみ１１６は、回転盤１１６ａと、回転盤１１６ａの一面（底面）の中心に突出形成された中心軸１１６ｂと、回転盤１１６ａの他面（上面）の中心に突出形成された指示部１１６ｃとから構成される。
【００８６】
中心軸１１６ｂは、つまみ装着部１１３ａにヒンジ構造で挿入結合され、設定つまみ１１６を回転可能に支持する。
回転盤１１６ａは、所定の直径を有する円板状に形成され、回転盤１１６ａ下部の中心軸１１６ｂを中心に回転する。
【００８７】
指示部１１６ｃは、回転盤１１６ａの中心部から一定の直径を有するように直上方に突出形成される円筒形状からなり、指示部１１６ｃの上端に十字状の指示溝１１６ｃ’を備える。
【００８８】
指示溝１１６ｃ’は、十字状に凹設された十字溝と、前記十字溝の一端部に矢印状又は三角形状に形成された溝とが組み合わせられた構造からなる。
【００８９】
このように一端部が三角形状に形成された十字溝構造を設定つまみ１１６に適用することにより、使用者がプラスドライバーなどを用いて設定つまみ１１６を回転させることができるだけでなく、矢印状又は三角形状の頂点が指し示す回転角度に応じてトリップ動作時間などを設定することができる。
【００９０】
設定つまみ１１６の指示部１１６ｃは、ケースカバー１１２に形成された貫通孔１１２’からケースカバー１１２の外部に露出し、使用者が指示部１１６ｃの十字溝を回転させて所定の回転角度範囲で調整できるようになっている。
【００９１】
また、設定つまみ１１６は、中心軸１１６ｂの外側面に備えられた十字状突起構造により、円周方向に所定の間隔で調整可能に回転する。
【００９２】
前記十字状突起構造は、中心軸１１６ｂの外側面に半径方向外側へ行くほど断面積が小さくなるとがった部分を含んでもよい。
【００９３】
電子回路基板１１３は、設定部１１７に互いに離隔して配置され、設定つまみ１１６を回転可能に支持する複数のつまみ装着部１１３ａを含む。
【００９４】
つまみ装着部１１３ａは、中心軸１１６ｂを囲むように内面に円周方向に離隔して配置された係止溝を備え、前記係止溝に設定つまみ１１６の十字状の突起（とがった部分）が係止されることにより、設定つまみ１１６を円周方向に所定の間隔で調整できるようになる。
【００９５】
設定つまみ１１６を円周方向に所定の間隔で調整できるようにした理由は、設定つまみ１１６の指示部１１６ｃに形成された指示溝１１６ｃ’（矢印状又は三角形状の頂点）がケースカバー１１２の外側に円周方向に間隔をおいて表示された設定値（トリップ動作時間など）を正確に指し示すようにするためである。
【００９６】
設定つまみ１１６は、支持部によりその場で回転可能に支持される。
また、設定つまみ１１６は、係止突起１１６ｄにより、動作可能な回転角度範囲が所定の範囲に制限される。
【００９７】
係止突起１１６ｄは、設定つまみ１１６の回転盤１１６ａの縁部に円周方向に所定の区間だけ連続して突出形成される。
【００９８】
係止突起１１６ｄは、回転盤１１６ａの指示部１１６ｃから半径方向外側に離隔して所定の曲率で突出形成され、回転盤１１６ａと一体に動作する。
【００９９】
ケースカバー１１２は、内面に互いに離隔して配置された複数のストップ突起１１２ａを備える。
【０１００】
ストップ突起１１２ａは、ケースカバー１１２の内面から電子回路基板１１３に向かって突出形成されるが、係止突起１１６ｄ、１１５ｄの回転半径内に突出する。よって、係止突起１１６ｄ、１１５ｄがストップ突起１１２ａにより干渉されて停止するようにすることができる。
【０１０１】
このような構造により、設定つまみ１１６の回転開始地点で係止突起１１６ｄの一側面部がストップ突起１１２ａの一側面部に接触し、設定つまみ１１６の回転完了地点で係止突起１１６ｄの他側面部がストップ突起１１２ａの他側面部に接触する。
【０１０２】
つまり、設定つまみ１１６は、回転開始地点から時計方向に回転させると、ストップ突起１１２ａにより停止して最大回転範囲が制限される。
【０１０３】
設定つまみ１１６の回転動作及び回転角度範囲について説明すると、設定つまみ１１６は、アナログ時計の時針に例えて、約７時の位置を回転開始地点、約５時の位置を回転完了地点として回転するようにしてもよい。
【０１０４】
以下、本発明による設定つまみ１１６と従来の設定つまみの相違点をより詳細に説明する。
【０１０５】
従来は、長限時トリップ動作時間の設定のための設定つまみの回転角度範囲と他の設定つまみの回転角度範囲とが同じであった。
【０１０６】
例えば、従来、トリップ動作が行われないようにトリップ動作オフ機能を実行するためには、トリップ動作時間の設定のための設定つまみを長限時トリップ動作時間の設定のための表示目盛り（０．５〜２０秒）の最後に表示されたｏｆｆ位置に回転させなければならない（図１１参照）。
【０１０７】
しかし、本発明においては、長限時トリップ動作オフ機能の使用を防止するための専用つまみ１１５を提供する。
【０１０８】
専用つまみ１１５は、前述した設定つまみ１１６のいずれかである。
専用つまみ１１５は、他の設定つまみ１１６より回転角度範囲が狭いので、トリップ動作オフ機能の使用を防止することができる。
【０１０９】
例えば、他の設定つまみ１１６は、任意の回転開始地点を基準に最大３００〜３４０度の回転範囲を有するが、専用つまみ１１５は、当該回転開始地点を基準に最大２７０〜３００度の回転範囲を有する。
【０１１０】
アナログ時計の時針に例えると、７時の位置を開始地点とし、他の設定つまみ１１６は５時の位置まで回転可能であるのに対して、専用つまみ１１５は３〜４時の位置まで回転可能である。
【０１１１】
専用つまみ１１５のトリップ動作時間は、開始地点から完了地点まで０．５秒から２０秒までの時間を所定の時間間隔で設定してもよい（図９参照）。
【０１１２】
第１実施形態による専用つまみ１１５の最大回転範囲を狭くするために、専用つまみ１１５は、係止突起１１５ｄの円周方向長さが円周方向にさらに延びるようにしてもよい。
【０１１３】
第１実施形態によれば、専用つまみ１１５に対応するストップ突起１１２ａは、形状、構造及び大きさが他のストップ突起１１２ａと同じである。
【０１１４】
しかし、専用つまみ１１５の回転盤１１５ａに備えられた係止突起１１５ｄの円周方向長さのほうが他の設定つまみ１１６の回転盤１１６ａに備えられた係止突起１１６ｄの円周方向長さより長いため、専用つまみ１１５のほうが他の設定つまみ１１６より回転角度範囲が狭い。
【０１１５】
下記数式１によれば、回転盤１１６ａ、１１５ａに備えられた係止突起１１６ｄ、１１５ｄの円周方向長さが長くなるほど、設定つまみ１１６及び専用つまみ１１５の回転角度（α）範囲が狭くなる。
【数１】
0005944961.tif 000002
【０１１６】
ここで、αはつまみの回転角度であり、ａは係止突起１１６ｄ、１１５ｄの円周方向長さであり、ｒは係止突起１１６ｄ、１１５ｄの回転半径である。
【０１１７】
係止突起１１６ｄ、１１５ｄの回転半径ｒは一定であり、設定つまみ１１６、１１５の回転角度αは係止突起１１６ｄ、１１５ｄの円周方向長さによって異なる。
【０１１８】
係止突起１１６ｄ、１１５ｄの回転半径ｒは、回転盤１１６ａ、１１５ａの円形中心から係止突起１１６ｄ、１１５ｄの半径方向厚さの中心線までの距離であってもよい。
【０１１９】
このような回転盤１１６ａ、１１５ａの係止構造によれば、設定つまみ１１６は、例えば回転開始地点（０゜）から回転完了地点（３２０゜）まで３２０゜以内の角度範囲で回転し、この回転範囲内でケースカバー１１２の外面に表示された設定値（表示目盛り）に応じてトリップ動作時間などを設定することができる。
【０１２０】
前記トリップ動作オフとは、回路に流れる電流の値が所定の基準電流値以上になっても配線用遮断器１００のトリップ動作（自動遮断）が行われないようにすることをいう。
【０１２１】
しかし、ＵＬ規格では配線用遮断器１００に限ってトリップ動作オフ機能を禁止しているので、本発明においては、専用つまみ１１５を配線用遮断器１００の過電流継電器１１０に適用することにより、ＵＬ規格を満たすように対応している。
【０１２２】
図１０は本発明の第２実施形態による設定つまみがケースカバーの内側に装着された状態を示す内部斜視図である。
【０１２３】
本発明の第２実施形態による過電流継電器１１０は、トリップ動作オフ機能の使用を防止するための専用ストップ突起１１２ｂを提供する。
【０１２４】
専用ストップ突起１１２ｂは、ケースカバー１１２の内部に備えられた複数のストップ突起のいずれかである。
【０１２５】
専用ストップ突起１１２ｂは、電子回路基板を前方から見たとき、８つの設定つまみ１１６のうち右上段に位置する専用つまみ１１５に対応するように適用される。
【０１２６】
専用ストップ突起１１２ｂのほうが他のストップ突起１１２ａより円周方向長さが相対的に長い。
【０１２７】
設定つまみ１１６のうち長限時トリップ動作時間を設定するための専用つまみ１１５は、回転盤１１５ａに係止突起１１５ｄを備え、この係止突起１１５ｄが専用ストップ突起１１２ｂに係止される。
【０１２８】
よって、長限時トリップ動作時間の設定のための設定つまみ１１６の回転角度範囲が他の設定つまみ１１６の回転角度範囲より狭くなるように制限することにより、長限時トリップ動作オフ機能を削除することができる。
【０１２９】
第１及び第２実施形態によれば、長限時トリップ動作時間を設定するための専用つまみ１１５がトリップ動作オフ位置に回転することを防止することができる。
【０１３０】
また、図９に示すケースカバー１１２に貼り付けるステッカーにおいて、トリップ動作オフ位置ｏｆｆは削除される。
【０１３１】
つまり、本発明によれば、長限時トリップ動作時間を設定するための専用つまみ１１５の円周方向回転角度を制限し、専用つまみ１１５がトリップ動作オフ位置に回転しないようにすることにより、ＵＬ規格を満たす。
【０１３２】
また、同じプログラム及びＰＣＢの修正によりＡＣＢ及びＭＣＣＢのトリップ動作条件の設定及び機能の変更を行うことができ、プログラムの規格認証内容の管理を一元化することができる。
【０１３３】
以上、本発明の実施形態について詳細に説明したが、本発明の権利範囲は、前述した実施形態に限定されるものではなく、特許請求の範囲で定義される本発明の基本概念を用いた当業者の様々な変形及び改良形態を含むものである。
【符号の説明】
【０１３４】
１００    配線用遮断器
１０３    開閉機構部
１１０    過電流継電器
１１１    ケース本体
１１２    ケースカバー
１１２ａ    ストップ突起
１１２ｂ    専用ストップ突起
１１３    電子回路基板
１１５    専用つまみ
１１５ａ、１１６ａ    回転盤
１１５ｂ、１１６ｂ    中心軸
１１５ｃ、１１６ｃ    指示部
１１５ｃ’、１１６ｃ’    指示溝
１１５ｄ、１１６ｄ    係止突起
１１６    設定つまみ
１１８    制御ユニット
１１９    トリップ機構モジュール
１２１    接点部
【図１】
0005944961.tif 000003
【図２】
0005944961.tif 000004
【図３】
0005944961.tif 000005
【図４】
0005944961.tif 000006
【図５】
0005944961.tif 000007
【図６】
0005944961.tif 000008
【図７】
0005944961.tif 000009
【図８】
0005944961.tif 000010
【図９】
0005944961.tif 000011
【図１０】
0005944961.tif 000012
【図１１】
0005944961.tif 000013